(57)【要約】【課題】操作性が向上した操作検出装置を提供する。【解決手段】操作検出装置１は、図１（ｂ）に示すように、操作面３１になされた操作を検出すると共に、操作面３１になされたプッシュ操作に基づいて、操作面３１を囲むフロアコンソール９０に対してプッシュ操作の方向に変位するタッチパッド６と、フロアコンソール９０に形成された面取り部分に基づいて、操作面３１の縁を面取りして形成された面取部４と、を備えて概略構成されている。また操作検出装置１は、プッシュ操作が操作面３１になされていない場合、操作面３１とフロアコンソール９０の主面とが同じ高さとなるように構成されている。【選択図】図１
2016110361.tif 000002
【特許請求の範囲】
【請求項１】
操作面になされた操作を検出すると共に、前記操作面になされた押し込み操作に基づいて、前記操作面を囲む周辺部に対して前記押し込み操作の方向に変位する検出部と、
前記周辺部に形成された面取り部分に基づいて、前記操作面の縁を面取りして形成された面取部と、
を備えた操作検出装置。
【請求項２】
開口を有すると共に、前記開口の縁に面取り部分が形成された周辺部と、
前記開口に露出する操作面になされた操作を検出すると共に、前記操作面になされた押し込み操作に基づいて、前記周辺部に対して前記押し込み操作の方向に変位する検出部と、
前記周辺部の前記面取り部分に基づいて、前記操作面の縁を面取りして形成された面取部と、
を備えた操作検出装置。
【請求項３】
前記押し込み操作に基づいて前記操作面が変位した場合、前記周辺部の側面と前記周辺部の前記面取り部分の境界と前記操作面とが同じ高さとなる、
請求項１又は２に記載の操作検出装置。
【請求項４】
前記押し込み操作が前記操作面になされていない場合、前記操作面と前記周辺部の主面とが同じ高さとなる、
請求項１乃至３のいずれか１項に記載の操作検出装置。
【請求項５】
前記周辺部の前記面取り部分が前記押し込み操作による前記操作面の移動量に応じて形成された、
請求項２に記載の操作検出装置。
【発明の詳細な説明】
【技術分野】
【０００１】
本発明は、操作検出装置に関する。
【背景技術】
【０００２】
従来の技術として、複数のプッシュスイッチと、プッシュスイッチの上方に配置された可動台と、可動台の上面に配置されたタッチパネルと、タッチパネルの周囲に配置された可動パネルと、を備えた多段スイッチが知られている（例えば、特許文献１参照。）。
【０００３】
この多段スイッチは、タッチパネルの上面が押圧されると、可動台、タッチパネル及び可動パネルが一体で移動し、プッシュスイッチが押圧される。またこの多段スイッチは、可動パネルの開口からタッチパネルが露出し、この開口の周辺がタッチパネルに向かって傾斜しているので、可動パネルとタッチパネルの境界に段差が形成されている。
【先行技術文献】
【特許文献】
【０００４】
【特許文献１】特開２０１２−２４８５０２号公報
【発明の概要】
【発明が解決しようとする課題】
【０００５】
上述のように、従来の多段スイッチは、タッチパネルと可動パネルの境界に段差が形成されているので、この境界付近における操作性が良くない。
【０００６】
従って、本発明の目的は、操作性が向上した操作検出装置を提供することにある。
【課題を解決するための手段】
【０００７】
本発明の一態様は、操作面になされた操作を検出すると共に、操作面になされた押し込み操作に基づいて、操作面を囲む周辺部に対して押し込み操作の方向に変位する検出部と、周辺部に形成された面取り部分に基づいて、操作面の縁を面取りして形成された面取部と、を備えた操作検出装置を提供する。
【発明の効果】
【０００８】
本発明によれば、操作性を向上させることができる。
【図面の簡単な説明】
【０００９】
【図１】図１（ａ）は、実施の形態に係る操作検出装置が搭載された車両内部の概略図であり、図１（ｂ）は、操作検出装置の斜視図であり、図１（ｃ）は、操作検出装置のブロック図である。
【図２】図２（ａ）及び図２（ｂ）は、実施の形態に係る操作検出装置を側面から見た模式図であり、図２（ｃ）及び図２（ｄ）は、操作面とフロアコンソールの境界を斜め方向から見た概略図である。
【図３】図３（ａ）〜図３（ｄ）は、面取部の変形例を示した概略図である。
【発明を実施するための形態】
【００１０】
（実施の形態の要約）
実施の形態に係る操作検出装置は、操作面になされた操作を検出すると共に、操作面になされた押し込み操作に基づいて、操作面を囲む周辺部に対して押し込み操作の方向に変位する検出部と、周辺部に形成された面取り部分に基づいて、操作面の縁を面取りして形成された面取部と、を備えて概略構成されている。
【００１１】
[実施の形態]
（操作検出装置１の全体構成）
図１（ａ）は、実施の形態に係る操作検出装置が搭載された車両内部の概略図であり、図１（ｂ）は、操作検出装置の斜視図であり、図１（ｃ）は、操作検出装置のブロック図である。なお、以下に記載する実施の形態に係る各図において、図形間の比率は、実際の比率とは異なる場合がある。また図１（ｃ）では、主な信号や情報の流れを矢印で示している。
【００１２】
操作検出装置１は、図１（ａ）に示すように、車両９の運転席と助手席との間に伸びるフロアコンソール９０に配置されている。この操作検出装置１は、例えば、車両９に搭載されたナビゲーション装置、空調装置、音楽再生装置及び映像再生装置等の電子機器の操作が可能となるように構成されている。
【００１３】
操作検出装置１は、図１（ｂ）に示すように、操作面３１になされた操作を検出すると共に、操作面３１になされた押し込み操作（プッシュ操作）に基づいて、操作面３１を囲む周辺部に対してプッシュ操作の方向に変位する検出部と、周辺部に形成された面取り部分に基づいて、操作面３１の縁を面取りして形成された面取部４と、を備えて概略構成されている。
【００１４】
この周辺部は、一例として、フロアコンソール９０である。検出部は、一例として、タッチパッド６である。このタッチパッド６を構成するタッチセンサは、操作面３１の下方に配置されている。従って上部筐体３がタッチパッド６となっている。
【００１５】
操作検出装置１は、図１（ｂ）に示すように、上部筐体３が下部筐体２に取り付けられて一体となっている。上部筐体３は、操作面３１になされたプッシュ操作に基づいて下部筐体２の方向に変位し、プッシュ操作が終了すると、元の位置に戻るように構成されている。
【００１６】
（下部筐体２及び上部筐体３の構成）
下部筐体２及び上部筐体３は、例えば、ＰＰ（polypropylene）、ＡＢＳ（acrylonitrile butadiene styrene copolymer）等の樹脂を用いて形成されている。
【００１７】
下部筐体２には、図１（ｃ）に示すように、操作面３１になされたプッシュ操作により、オンするプッシュスイッチ７、及び後述する制御部１０等が配置されている。このプッシュスイッチ７は、例えば、上部筐体３の変位によりオンするマイクロスイッチであり、スイッチ信号Ｓ２を出力するように構成されている。
【００１８】
上部筐体３の上面である操作面３１は、矩形状を有すると共に、その面が平坦である。操作面３１の縁には、面取部４が形成されている。この上部筐体３の上面全体が操作面３１であり、タッチパッド６は、操作面３１内のいずれの位置になされた操作でも検出できるように構成されている。
【００１９】
この面取部４は、上部筐体３の側面３０と操作面３１とが交差する領域に設けられている。面取部４と側面３０が交差する位置には、境界４１が形成されている。面取部４と操作面３１とが交差する位置には、境界４２が形成されている。面取部４は、境界４１と境界４２との間が平坦な面となっている。
【００２０】
（タッチパッド６の構成）
タッチパッド６は、例えば、操作者の体の一部（例えば、指）や専用のペンで操作面３１に触れることにより、触れた操作面３１上の位置を検出するセンサである。操作者は、例えば、操作面３１に操作を行うことにより、接続された電子機器の操作を行うことが可能となる。タッチパッド６としては、例えば、周知の抵抗膜方式、赤外線方式、ＳＡＷ（Surface Acoustic Wave）方式、静電容量方式等のタッチパネルを用いることが可能である。本実施の形態に係るタッチパッド６は、一例として、静電容量方式のタッチセンサを採用している。
【００２１】
（制御部１０の構成）
制御部１０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１０が動作するためのプログラムと、しきい値１００と、が格納されている。ＲＡＭは、例えば、一時的に演算結果等を格納する記憶領域として用いられる。
【００２２】
制御部１０は、図１（ｃ）に示すように、タッチパッド６から取得した検出情報Ｓ１と、しきい値１００と、を比較することで操作を検出するように構成されている。また制御部１０は、操作がなされた操作面３１の座標を算出し、操作情報Ｓ３として接続された電子機器に出力する。また制御部１０は、プッシュスイッチ７のオン又はオフの情報を操作情報Ｓ３として出力する。
【００２３】
（面取部４について）
図２（ａ）及び図２（ｂ）は、実施の形態に係る操作検出装置を側面から見た模式図であり、図２（ｃ）及び図２（ｄ）は、操作面とフロアコンソールの境界を斜め方向から見た概略図である。図２（ａ）及び図２（ｃ）は、操作面にプッシュ操作が行われていない状態であり、図２（ｂ）及び図２（ｄ）は、操作面にプッシュ操作がなされた状態を示している。
【００２４】
操作検出装置１は、図２（ａ）に示すように、プッシュ操作が操作面３１になされていない場合、操作面３１とフロアコンソール９０の主面とが同じ高さとなるように構成されている。本実施の形態では、フロアコンソール９０の主面とは、フロアコンソール９０の表面９１であり、表面９１は、少なくとも開口９１０の近傍で操作面３１に応じて平坦である。また操作検出装置１は、操作面３１と面取部４の境界４２と、フロアコンソール９０の表面９１と面取部９３の境界９５と、が同じ高さとなっている。
【００２５】
この開口９１０の近傍とは、図２（ａ）に示すように、操作者の操作指８が開口９１０と操作面３１との境界上に位置した際に、操作指８が接している表面９１の領域である。操作者は、表面９１が少なくとも開口９１０の近傍で操作面３１に応じて平坦となるので、開口９１０と操作面３１との間を認識できるものの、操作面３１と表面９１とがほぼ平坦であると感じる。
【００２６】
また面取部４は、例えば、図２（ｃ）に示すように、操作者が視認できるように、面取部４と側面３０との境界４１が形成されている。
【００２７】
操作検出装置１は、図２（ｂ）に示すように、プッシュ操作に基づいて操作面３１が変位した場合、フロアコンソール９０の側面９２とフロアコンソール９０の面取り部分である面取部９３の境界９４と、操作面３１と面取部４の境界４２と、が同じ高さとなるように構成されている。
【００２８】
具体的には、操作検出装置１は、図２（ｂ）に示すように、プッシュ操作が操作面３１に行われた場合、上部筐体３が下部筐体２側に、プッシュスイッチ７をオンするまで変位する。この変位により、操作検出装置１は、フロアコンソール９０の側面９２とフロアコンソール９０の面取部９３との境界９４と、操作面３１と面取部４の境界４２と、が同じ高さとなる。
【００２９】
つまり、フロアコンソール９０の面取部９３は、図２（ｂ）に示すように、プッシュ操作による操作面３１の移動量、つまり上部筐体３のストロークＬに応じて形成されている。言い換えるなら、このフロアコンソール９０の面取部９３は、表面９１から、側面９２と面取部９３の境界９４までの距離が、当該ストロークＬとなるように構成されている。なおストロークＬは、一例として、０．５〜１．５ｍｍ程度である。本実施の形態のストロークＬは、一例として、１ｍｍである。
【００３０】
プッシュ操作が行われた場合、図２（ｄ）に示すように、操作者から見て面取部４の境界４１が見えなくなり、操作面３１と境界９４の高さが一致するように見えると、プッシュ操作が完了したと認識することが可能となる。
【００３１】
上述のように、上部筐体３の面取部４と、フロアコンソール９０の面取部９３とは、操作指８が面取部４と面取部９３の間を認識できる程度に形成される。少なくとも、操作指８が面取部４と面取部９３の間に嵌らないように、つまり、違和感なく操作面３１から表面９１になぞり操作が可能となるように形成される。よって面取部４及び面取部９３は、操作者の操作指８に基づいて、その傾斜等が定まる。ただし、上述のように、少なくとも表面９１から境界９４までの距離は、プッシュ操作のストロークＬである。
【００３２】
従って面取部９３は、図２（ｂ）に示すように、上部筐体３の面取部４の近くでプッシュ操作が行われた際、面取部９３が形成されていない場合と比べて、面取部９３に接触した操作指８が刺激を受け難いように形成される。
【００３３】
（面取部４の変形例）
図３（ａ）〜図３（ｄ）は、面取部の変形例を示した概略図である。上述のように、面取部４は、単に、上部筐体３の側面３０と操作面３１とが交差する領域を除去したものではない。以下では、面取部４の複数の変形例について説明する。
【００３４】
図３（ａ）に示す変形例の面取部４は、膨らむように面が形成されている。この変形例における面取部４は、操作面３１と面取部４とが滑らかに接続されているものの、側面３０と面取部４との境界４１が明確になっている。
【００３５】
図３（ｂ）に示す変形例の面取部４は、凹むような面が形成されている。この変形例における面取部４は、凹むような面が形成されるものの、側面３０と面取部４との境界４１が明確になっている。
【００３６】
図３（ｃ）に示す変形例の面取部４は、図３（ａ）に示す変形例と比べて、より面が膨らんでいる。この変形例における面取部４は、側面３０との境界４１と操作面３１との境界４２とが明確になっている。
【００３７】
図３（ｄ）に示す変形例の面取部４は、実施の形態の面取部４と比べて、傾斜が大きくなっている。よってこの変形例でも、面取部４は、側面３０との境界４１と操作面３１との境界４２とが明確になっている。
【００３８】
図３（ａ）〜図３（ｄ）に示す変形例では、周辺部の面取り部分も、面取部４と同様の形状を有している。
【００３９】
これらの変形例に示す面取部４は、側面３０と面取部４との境界４１が明確となっているので、上述のように、プッシュ操作の目安とし易い。
【００４０】
（実施の形態の効果）
本実施の形態に係る操作検出装置１は、操作性を向上させることができる。具体的には、操作検出装置１は、操作面３１と周辺部であるフロアコンソール９０の表面９１とがほぼ平坦なので、操作者の操作指８が操作面３１と表面９１の境界で表面９１に接触することに起因する違和感が抑制されると共に、操作面３１の端部に障害物がなくて操作の制限を受けないので、操作性が向上する。
【００４１】
また操作検出装置１は、操作面３１に面取部４が形成されると共に、表面９１に面取部９３が形成されているので、操作指８が面取部４と面取部９３の境界を跨いだ際に操作者が感じる刺激が抑制され、操作性が向上する。
【００４２】
操作検出装置１は、操作面３１と周辺部とが平坦なので、操作面と周辺部とに段差が形成される場合と比べて、面取部４と面取部９３との間に隙間が生じるのみで意匠が良い。また操作検出装置１は、操作面３１の端部に段差を設けなくても、操作者が面取部４と面取部９３とによる隙間を認識することで操作面３１の端部を認識できる。
【００４３】
操作検出装置１は、上部筐体３の側面３０と面取部４との境界４１が明確なので、側面からなだらかに面取りを行う場合と比べて、プッシュ操作によって境界４１が見えなくなることで、操作者がプッシュ操作の完了を認識し易い。
【００４４】
操作検出装置１は、プッシュ操作が完了した際に、操作面３１がフロアコンソール９０の面取部９３の境界９４と同じ高さになるので、この構成を採用しない場合と比べて、さらに操作者がプッシュ操作の完了を認識し易い。
【００４５】
ここで、例えば、プッシュ操作のストロークが長く、周辺部の面取部の境界よりも操作面が下がる場合、操作面の端部と周辺部との段差が大きくなるので、プッシュ操作がこの端部近傍で行われると、操作指が段差に接触して操作感が良くない。しかし、操作検出装置１は、面取部４及び面取部９３が形成されると共に、プッシュ操作により、操作面３１がフロアコンソール９０の面取部９３の境界９４と同じ高さになるので、操作者が段差から受ける刺激が抑制され、操作感が良い。
【００４６】
また異なる実施の形態として、操作検出装置１は、開口を有すると共に、開口の縁に面取り部分が形成された周辺部と、開口に露出する操作面になされた操作を検出すると共に、操作面になされたプッシュ操作に基づいて、周辺部に対して押し込み操作の方向に変位する検出部と、周辺部の面取り部分に基づいて、操作面の縁を面取りして形成された面取部と、を備えて概略構成される。周辺部は、一例として、開口を有するベゼルや加飾部材である。つまり操作検出装置１は、周辺部を含んで構成されても良い。
【００４７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００４８】
１…操作検出装置
２…下部筐体
３…上部筐体
４…面取部
６…タッチセンサ
７…プッシュスイッチ
８…操作指
９…車両
１０…制御部
３０…側面
３１…操作面
４１…境界
４２…境界
９０…フロアコンソール
９１…表面
９２…側面
９３…面取部
９４…境界
９５…境界
１００…しきい値
９１０…開口
【図１】
2016110361.tif 000003
【図２】
2016110361.tif 000004
【図３】
2016110361.tif 000005